(57)【要約】【課題】柱型基礎を大型化することなく、アンカーボルトの変形に対し優れた抵抗作用を確保して、柱型コンクリート体のコーン状破壊を適切に抑制することが可能な露出型柱脚用柱型基礎の補強構造を提供する。【解決手段】平断面正方形状の柱型コンクリート体３内に、上下高さ方向に沿って、環状の配列で複数配筋される立ち上がり筋２と、立ち上がり筋の外回りを包囲する環状に形成され、立ち上がり筋の上下高さ方向に多段に配筋される複数のフープ筋４と、立ち上がり筋よりも内方に位置させて環状の配列で複数配設されるアンカーボルト５とが埋設され、露出型柱脚部６が設置固定される露出型柱脚用柱型基礎１であって、アンカーボルトと柱型コンクリート体の外面３ａとの間に、最上段のフープ筋４Ａから下方のフープ筋にわたり複数のフープ筋に内接させて、かつアンカーボルト１本１本に１対１で対応させて、複数の補強プレート１０を設けた。【選択図】図１
2020094460.tif 000002
【特許請求の範囲】
【請求項１】
柱型コンクリート体内に、上下高さ方向に沿って、環状の配列で複数配筋される立ち上がり筋と、これら立ち上がり筋の外回りを包囲する環状に形成され、該立ち上がり筋の上下高さ方向に多段に配筋される複数のフープ筋と、該立ち上がり筋よりも内方に位置させて環状の配列で複数配設されるアンカーボルトとが埋設され、該柱型コンクリート体上に該アンカーボルトを介して露出型柱脚部が設置固定される柱型基礎であって、
上記アンカーボルトと上記柱型コンクリート体の外面との間に、最上段の上記フープ筋から下方の該フープ筋にわたり複数の該フープ筋の内側に配置して、該各アンカーボルト個々を、該柱型コンクリート体の外面と直交する方向について、当該柱型コンクリート体の外面に対し、覆い隠すように補強プレートを設けたことを特徴とする露出型柱脚用柱型基礎の補強構造。
【請求項２】
前記補強プレートは、その板面が前記アンカーボルト側から前記フープ筋に当接されることを特徴とする請求項１に記載の露出型柱脚用柱型基礎の補強構造。
【請求項３】
前記各補強プレートは、複数の前記アンカーボルト１本１本に個別に対応させて、複数設けられることを特徴とする請求項１または２に記載の露出型柱脚用柱型基礎の補強構造。
【請求項４】
前記フープ筋の周方向に沿う前記補強プレートの幅方向の寸法は、前記アンカーボルトの外径寸法以上であることを特徴とする請求項１〜３いずれかの項に記載の露出型柱脚用柱型基礎の補強構造。
【請求項５】
前記立ち上がり筋の長さ方向に沿う前記補強プレートの上下高さ方向の寸法は、少なくとも最上段の前記フープ筋及びその直下の該フープ筋に接するように設定されることを特徴とする請求項１〜４いずれかの項に記載の露出型柱脚用柱型基礎の補強構造。
【請求項６】
前記柱型コンクリート体は平断面長方形状であり、前記補強プレートは、前記柱型コンクリート体の隅角部に配置されて当該柱型コンクリート体の一対の外面双方に面する前記アンカーボルトに対し、当該アンカーボルトとの離隔距離が短いいずれか一方の外面と該アンカーボルトとの間に設けられることを特徴とする請求項１〜５いずれかの項に記載の露出型柱脚用柱型基礎の補強構造。
【請求項７】
前記補強プレートには、最上段の前記フープ筋に上方から掛けるためのフックが形成されることを特徴とする請求項１〜６いずれかの項に記載の露出型柱脚用柱型基礎の補強構造。
【請求項８】
前記補強プレートには、打設コンクリート流動用の孔が設けられることを特徴とする請求項１〜７いずれかの項に記載の露出型柱脚用柱型基礎の補強構造。
【請求項９】
前記補強プレートには、補強用リブが設けられることを特徴とする請求項１〜８いずれかの項に記載の露出型柱脚用柱型基礎の補強構造。
【請求項１０】
前記補強プレートは、隣接するもの同士を連結する連結部が設けられることを特徴とする請求項１〜９いずれかの項に記載の露出型柱脚用柱型基礎の補強構造。
【請求項１１】
前記補強プレートは、上下高さ方向に多段にリブ状凸部が形成された波板状に形成され、該リブ状凸部が上下に隣接する前記フープ筋同士の間に配置されることを特徴とする請求項１〜１０いずれかの項に記載の露出型柱脚用柱型基礎の補強構造。
【発明の詳細な説明】
【技術分野】
【０００１】
本発明は、柱型基礎を大型化することなく、アンカーボルトの変形に対し優れた抵抗作用を確保して、柱型コンクリート体のコーン状破壊を適切に抑制することが可能な露出型柱脚用柱型基礎の補強構造に関する。
【背景技術】
【０００２】
鉄骨柱等の柱脚部が露出状態で載置される鉄筋コンクリート製柱型基礎の構造として、例えば特許文献１が知られている。特許文献１の「建造物等の柱脚と基礎構造物との結合構造」は、コンクリート基盤上に、鉄筋コンクリート基礎柱体を立設し、この基礎柱体内には、上端部を基礎柱体の上方に突出させてネジ鉄筋による主筋を配設し、この基礎柱体上に、下端にベースプレートを設けた鋼製の柱脚を載置し、前記の突出した主筋をベースプレートのボルト挿通孔に通して、ネジ鉄筋用のナットを緊締して結合するようにしている。
【先行技術文献】
【特許文献】
【０００３】
【特許文献１】実開平２−６６８５２号全文明細書
【発明の概要】
【発明が解決しようとする課題】
【０００４】
露出型柱脚部が載置される鉄筋コンクリート製柱型基礎では、柱脚部は、基礎を構成する柱型コンクリート体内に埋設されたアンカーボルトを介して、柱型基礎に接合固定されている。
【０００５】
柱脚部に地震力等の水平外力が作用すると、アンカーボルトはせん断力等を受けて、コンクリートを水平横向きに押圧するように変形し、当該コンクリートが柱型基礎の外面へ向けて押し出されると、柱型コンクリート体にコーン状破壊が発生することが知られている。
【０００６】
このコーン状破壊を防止するには、アンカーボルトの変形を抑え込むことができるように、柱型基礎内に多量の鉄筋を配筋し、柱型基礎を剛強に構築することが考えられる。
【０００７】
しかしながら、多量の鉄筋を配筋して柱型コンクリート体内に埋設するようにすると、柱型基礎が大型化してしまう。柱型基礎が大型化すると、材料費が嵩むだけでなく、施工が煩雑になって、コストアップや施工期間が長引くと同時に、設置スペースも大きくなることから、その分、利用可能な建物スペースが狭まってしまうという課題があった。
【０００８】
本発明は上記従来の課題に鑑みて創案されたものであって、柱型基礎を大型化することなく、アンカーボルトの変形に対し優れた抵抗作用を確保して、柱型コンクリート体のコーン状破壊を適切に抑制することが可能な露出型柱脚用柱型基礎の補強構造を提供することを目的とする。
【課題を解決するための手段】
【０００９】
本発明にかかる露出型柱脚用柱型基礎の補強構造は、柱型コンクリート体内に、上下高さ方向に沿って、環状の配列で複数配筋される立ち上がり筋と、これら立ち上がり筋の外回りを包囲する環状に形成され、該立ち上がり筋の上下高さ方向に多段に配筋される複数のフープ筋と、該立ち上がり筋よりも内方に位置させて環状の配列で複数配設されるアンカーボルトとが埋設され、該柱型コンクリート体上に該アンカーボルトを介して露出型柱脚部が設置固定される柱型基礎であって、上記アンカーボルトと上記柱型コンクリート体の外面との間に、最上段の上記フープ筋から下方の該フープ筋にわたり複数の該フープ筋の内側に配置して、該各アンカーボルト個々を、該柱型コンクリート体の外面と直交する方向について、当該柱型コンクリート体の外面に対し、覆い隠すように補強プレートを設けたことを特徴とする。
【００１０】
前記補強プレートは、その板面が前記アンカーボルト側から前記フープ筋に当接されることを特徴とする。
【００１１】
前記各補強プレートは、複数の前記アンカーボルト１本１本に個別に対応させて、複数設けられることを特徴とする。
【００１２】
前記フープ筋の周方向に沿う前記補強プレートの幅方向の寸法は、前記アンカーボルトの外径寸法以上であることを特徴とする。
【００１３】
前記立ち上がり筋の長さ方向に沿う前記補強プレートの上下高さ方向の寸法は、少なくとも最上段の前記フープ筋及びその直下の該フープ筋に接するように設定されることを特徴とする。
【００１４】
前記柱型コンクリート体は平断面長方形状であり、前記補強プレートは、前記柱型コンクリート体の隅角部に配置されて当該柱型コンクリート体の一対の外面双方に面する前記アンカーボルトに対し、当該アンカーボルトとの離隔距離が短いいずれか一方の外面と該アンカーボルトとの間に設けられることを特徴とする。
【００１５】
前記補強プレートには、最上段の前記フープ筋に上方から掛けるためのフックが形成されることを特徴とする。
【００１６】
前記補強プレートには、打設コンクリート流動用の孔が設けられることを特徴とする。
【００１７】
前記補強プレートには、補強用リブが設けられることを特徴とする。
【００１８】
前記補強プレートは、隣接するもの同士を連結する連結部が設けられることを特徴とする。
【００１９】
前記補強プレートは、上下高さ方向に多段にリブ状凸部が形成された波板状に形成され、該リブ状凸部が上下に隣接する前記フープ筋同士の間に配置されることを特徴とする。
【発明の効果】
【００２０】
本発明にかかる露出型柱脚用柱型基礎の補強構造にあっては、柱型基礎を大型化することなく、アンカーボルトの変形に対し優れた抵抗作用を確保でき、柱型コンクリート体のコーン状破壊を適切に抑制することができる。
【図面の簡単な説明】
【００２１】
【図１】本発明に係る露出型柱脚用柱型基礎の補強構造の第１実施形態を説明する説明図である。
【図２】本発明に係る露出型柱脚用柱型基礎の補強構造の第２実施形態を説明する説明図である。
【図３】本発明に係る露出型柱脚用柱型基礎の補強構造の変形例を示す一部破断側断面図である。
【図４】本発明に係る露出型柱脚用柱型基礎の補強構造の他の変形例を説明する説明図である。
【図５】図４に示した変形例に用いられる補強プレートの部分斜視図が示されている。
【図６】本発明に係る露出型柱脚用柱型基礎の補強構造のさらに他の変形例を説明する説明図である。
【図７】図６に示した変形例に用いられる補強プレートの部分斜視図が示されている。
【図８】本発明に係る露出型柱脚用柱型基礎の補強構造に適用可能な補強プレートの変形例を説明する説明図である。
【図９】図１及び図２に示した第１及び第２実施形態について、溝形鋼を用いた第１の例を説明する説明図である。
【図１０】図９に示した溝形鋼を組んだ様子を示す斜視図である。
【図１１】図９に示した第１の例について、縦方向溝形鋼に補強板を設けた様子を図１０中の矢視Ｕ方向から見た図である。
【図１２】図１及び図２に示した第１及び第２実施形態について、溝形鋼を用いた第２の例を説明する、溝形鋼を組んだ様子の斜視図である。
【発明を実施するための形態】
【００２２】
以下に、本発明にかかる露出型柱脚用柱型基礎の補強構造の好適な実施形態を、添付図面を参照して詳細に説明する。図１には、露出型柱脚用柱型基礎の補強構造の第１実施形態が示されている。図１（Ａ）は、柱型基礎の平面断面図、図１（Ｂ）は、図１（Ａ）中、Ｐ−Ｐ線矢視断面図、図１（Ｃ）は、補強構造に用いられる補強プレートの側面図である。
【００２３】
露出型柱脚用の鉄筋コンクリート製柱型基礎１自体は従来周知であって、立ち上がり筋２を、柱型コンクリート体３の上下高さ方向に沿って、当該柱型コンクリート体３の周方向に環状の配列で互いに等間隔を隔てて複数配筋し、これら立ち上がり筋２の外回りを包囲する環状に形成したフープ筋４を複数、立ち上がり筋２の上下高さ方向に多段に配筋すると共に、アンカーボルト５を、立ち上がり筋２よりもフープ筋４の内方に位置するように、柱型コンクリート体３の平断面中央側に寄せて、柱型コンクリート体３の周方向に環状の配列で互いに等間隔を隔てて複数配設し、これらアンカーボルト５、立ち上がり筋２及びフープ筋４を、打設コンクリートにより柱型コンクリート体３内に埋設することで構築される。
【００２４】
鉄骨柱等の柱脚部６は、そのベースプレート７が、柱型コンクリート体３上に形成されるグラウト部８上に重ね合わされると共に、柱型コンクリート体３から上方に突出されるアンカーボルト５の上端部５ａが、グラウト部８を介してベースプレート７の孔部に挿通され、当該アンカーボルト５の上端部５ａにナット９を締結して接合することにより、柱型基礎１上に設置固定される。このような柱型基礎１は、基礎梁や基礎スラブに連設されたり、フーチングの頂部などに備えられる。
【００２５】
本実施形態にかかる露出型柱脚用柱型基礎１では、柱型コンクリート体３は、平断面長方形状、図示例にあっては、平断面正方形状の柱形態で形成される。そして当該柱型基礎１では、柱型コンクリート体３内に、補強プレート１０を埋設状態で備えて構成される。柱型コンクリート体３の平断面形状は、長方形状に限らず、円形状など、どのような形状であっても良い。
【００２６】
本実施形態の補強プレート１０は、帯状で、板面１０ａが平坦な平板で構成される。補強プレート１０は、アンカーボルト５の変形によって柱型コンクリート体３のコンクリートが押し出し作用を受けることに抵抗させるために、アンカーボルト５の１本１本に対し、１対１で対応させて、複数設けられる。
【００２７】
図示例では、アンカーボルト５は、平断面正方形状の柱型コンクリート体３の各辺それぞれに対し２本ずつ、計８本埋設されていて、補強プレート１０も、８枚設けられる。アンカーボルト５の本数は問われない。
【００２８】
補強プレート１０は、アンカーボルト５の変形でコンクリートが柱型コンクリート体３の外面３ａへ向けて押し出される作用を抑制するために、各アンカーボルト５それぞれと、そのアンカーボルト５が面する柱型コンクリート体３の外面３ａとの間に設けられる。
【００２９】
図示例のように、平断面正方形状の柱型コンクリート体３に対し、各辺に２本ずつのアンカーボルト５を等間隔で環状に配設した場合、柱型コンクリート体３の４つの各隅角部３ｂそれぞれないしはその周辺には、アンカーボルト５ｘ，５ｙが２本ずつ配置されることになる。これらアンカーボルト５ｘ，５ｙは共に、隅角部３ｂを構成する一対の辺、すなわち柱型コンクリート体３の一対の外面３ａｘ，３ａｙ双方に面することになる。
【００３０】
この際、２本のアンカーボルト５ｘ，５ｙのうち、一方のアンカーボルト５ｘは、一対の外面３ａｘ，３ａｙのうち、一方の外面３ａｘと近接し（図中、ｊｘ参照）、他方の外面３ａｙからは遠隔に位置し（図中、ｊｙ参照）、他方のアンカーボルト５ｙは、他方の外面３ａｙと近接し（図中、ｋｙ参照）、一方の外面３ａｘからは遠隔に位置する（図中、ｋｘ参照）。
【００３１】
この場合、補強プレート１０は、アンカーボルト５と柱型コンクリート体３の外面３ａとの間のコンクリート厚が薄くなってコーン状破壊を生じやすい方を補強するために、アンカーボルト５ｘ，５ｙとの離隔距離が短い（ｊｘ，ｋｙ）いずれか一方の外面３ａｘ，３ａｙとアンカーボルト５ｘ、５ｙとの間に設けられる。
【００３２】
図示しないけれども、８本のアンカーボルト５が、柱型コンクリート体３の４つの各辺に対し、１本ずつ配置され、４つの各隅角部３ｂに１本ずつ位置されるように、環状の配列で配設される場合には、各隅角部３ｂのアンカーボルト５は、隅角部３ｂを構成する一対の外面３ａ双方に等距離で面することがある。
【００３３】
この際には、１本のアンカーボルト５に対し、当該アンカーボルト５と一対の外面３ａそれぞれとの間に補強プレート１０が配設されて、２枚の補強プレート１０が設けられる。すなわち、この場合には、２枚の補強プレート１０が、アンカーボルト５の１本に対し、１：２で設けられる。当該構成は、後述する第２実施形態を参照することで理解される。
【００３４】
アンカーボルト５は、柱脚部６と直接接合され、柱脚部６から水平方向の外力が入力されると、アンカーボルト５の上端部５ａが他の部分に比して大きな変形を生じて、このために、当該上端部５ａに近接する柱型コンクリート体３の上部にコーン状破壊が生じやすい。補強プレート１０は、柱型コンクリート体３の上部を補強するために、アンカーボルト５の上端部５ａに近接する最上段のフープ筋４Ａから、下方のフープ筋４のいずれかまでに亘り設けられる。
【００３５】
例えば、補強プレート１０は、立ち上がり筋２の長さ方向に沿う上下高さ方向の長さ寸法Ｌが、すなわち板面１０ａの長さ寸法が、少なくとも最上段のフープ筋４Ａ及びその直下の第２段目のフープ筋に亘るように設定される。図示例では、補強プレートは、最上段から第３段目のフープ筋４に亘る長さ寸法で形成されている。補強プレート１０の長さ寸法Ｌは、適宜に設定して良いことはもちろんである。
【００３６】
補強プレート１０は、アンカーボルト５の変形による柱型コンクリート体３の外面３ａへ向かうコンクリートの押し出し作用を、複数のフープ筋４（４Ａを含む。以下、同様）と共に抵抗するために、これら環状のフープ筋４の内側に配置して設けられる。本実施形態では、補強プレート１０は、これらフープ筋４に内接させて設けられる。
【００３７】
補強プレート１０をフープ筋４に内接させるとは、補強プレート１０の平坦な板面１０ａが、柱型コンクリート体３の平断面中央側に寄せて配設されるアンカーボルト５側からフープ筋４の内周面に当接させることをいう。これにより、補強プレート１０が、フープ筋４を越えてその外側へ押し出されることが防止され、コンクリートの押し出し作用が抑制される。
【００３８】
補強プレート１０は、アンカーボルト５の変形による柱型コンクリート体３のコンクリートの押し出し作用を的確かつ確実に抑制するために、柱型コンクリート体３の外面３ａと直交する方向について、対応関係にある各アンカーボルト５個々を、当該柱型コンクリート体３の外面３ａに対し、覆い隠すように設けられる。
【００３９】
当該構成は、表現を変えると、柱型コンクリート体３の各辺の外面３ａに、当該外面３ａと直交する方向からアンカーボルト５へ向けて光を照射した場合に、補強プレート１０の影となる位置に、すなわち補強プレート１０の投影範囲（図中、Ｍで示す）に、アンカーボルト５が位置するように、補強プレート１０の設置位置が設定されるということである。
【００４０】
この構成との関係で、補強プレート１０が内接するフープ筋４の周方向に沿う補強プレート１０の幅寸法Ｗ、すなわち板面１０ａの幅寸法は、アンカーボルト５の変形によるコンクリートの押し出しに対する受圧面を確実に形成して受圧可能なように、アンカーボルト５の外径寸法Ｄ以上に設定される。
【００４１】
補強プレート１０には、複数のフープ筋４に内接する設置施工を容易化するために、最上段のフープ筋４Ａへその上方から掛けるためのフック１１が形成される。フック１１は、補強プレート１０の上端部に連なる折り曲げ部１１ａと、折り曲げ部１１ａから垂下されてフープ筋４に外接するフック片１１ｂとから構成され、補強プレート１０に一体的に設けられる。
【００４２】
フック１１で補強プレート１０をフープ筋４に内接させて取り付けると、補強プレート１０とフック１１のフック片１１ｂとで、フープ筋４が挟み込まれるように構成される。フック１１は、当該構成に限らず、従来周知の種々の構成を採用することができる。
【００４３】
次に、第１実施形態にかかる露出型柱脚用柱型基礎の補強構造の作用について説明する。柱型基礎１を構築するに際しては、立ち上がり筋２及びフープ筋４を配筋すると共に、アンカーボルト５を配設し、次いで、フック１１を利用して補強プレート１０を、最上段のフープ筋４Ａにその上方から掛けて、上述した所定の位置に配置する。
【００４４】
その後、型枠を組み、当該型枠の内部にコンクリートを打設して、アンカーボルト５や補強プレート１０等を埋設する。これにより、基礎梁やフーチング等の基礎構造に連設した形態で、補強プレート１０が埋設された鉄筋コンクリート製の柱型基礎１が構築される。その後、柱型基礎１の上には、アンカーボルト５を介して、柱脚部６が設置固定される。
【００４５】
柱脚部６に地震力等の水平外力が作用すると、柱脚部６を柱型基礎１に結合するアンカーボルト５に、せん断力等による変形が生じる。柱型コンクリート体３には、このアンカーボルト５の変形によって、コンクリートを当該柱型コンクリート体３の外面３ａに向けて押し出す力が発生する。
【００４６】
このとき、本実施形態にかかる露出型柱脚用柱型基礎の補強構造にあっては、アンカーボルト５と柱型コンクリート体３の外面３ａとの間に、最上段のフープ筋４Ａから第３段目のフープ筋４にわたり複数のフープ筋４に内接させて、かつアンカーボルト５の１本１本に１対１で対応させて、複数の補強プレート１０を設けるようにしたので、破壊を生じやすい柱型コンクリート体３の上部付近において、各アンカーボルト５に対応させた各補強プレート１０が、アンカーボルト５の変形でコンクリートを押し出すように作用する力に対し、複数のフープ筋４にその力を伝達して分散させながら、確実に抵抗することができる。
【００４７】
従って、配筋量を増やすなどして柱型基礎１を大型化することなく、アンカーボルト５の変形に対し優れた抵抗作用を確保でき、柱型コンクリート体３のコーン状破壊を適切に抑制することができる。
【００４８】
補強プレート１０は、その板面１０ａがアンカーボルト５側からフープ筋４に当接されるので、補強プレート１０が、フープ筋４を越えてその外側へ押し出されることを防止でき、コンクリートの押し出し作用を効果的に抑制することができる。
【００４９】
各補強プレート１０は、各アンカーボルト５個々を、柱型コンクリート体３の外面３ａと直交する方向について、当該柱型コンクリート体３の外面３ａに対し、覆い隠すように設けられる（図中、Ｍ参照）ので、補強プレート１０は、アンカーボルト５の変形でコンクリートが受ける力をほぼすべて受け止めることができ、コンクリートの押し出し作用を的確かつ確実に抑制することができる。
【００５０】
補強プレート１０の幅方向の寸法Ｗは、アンカーボルト５の外径寸法Ｄ以上であるので、アンカーボルト５の変形によるコンクリートの押し出しに対する受圧面を、補強プレート１０に確実に設定・確保することができる。
【００５１】
補強プレート１０の上下高さ方向の寸法Ｌは、最上段のフープ筋４Ａから、下方の第３段目のフープ筋４に接するように設定されるので、水平外力による変位量が大きなアンカーボルト５の上端部５ａに近接し、そのためコーン状破壊が生じやすい柱型コンクリート体３の上部を効果的に補強することができる。
【００５２】
補強プレート１０は、柱型コンクリート体３の隅角部３ｂ及びその付近に配置されて当該柱型コンクリート体３の一対の外面３ａ双方に面するアンカーボルト５に対しては、当該アンカーボルト５との離隔距離が短い方（図中、ｊｘ、ｋｙ参照）の外面３ａとアンカーボルト５との間に設けられるので、アンカーボルト５と柱型コンクリート体３の外面３ａとの間のコンクリート厚が薄くなってコーン状破壊を生じやすい箇所を的確に補強することができる。
【００５３】
補強プレート１０には、最上段のフープ筋４Ａに上方から掛けるためのフック１１が形成されるので、補強プレート１０の取り付けにあたり、複数のフープ筋４に内接する設置施工を容易化することができる。
【００５４】
図２には、第２実施形態にかかる露出型柱脚用柱型基礎の補強構造が示されている。図２（Ａ）は、柱型基礎の平面断面図、図２（Ｂ）は、図２（Ａ）中、Ｑ−Ｑ線矢視断面図である。第１実施形態と異なる構成について、以下説明する。本実施形態にかかる露出型柱脚用柱型基礎１では、アンカーボルト５は、第１実施形態と同様に計８本配設されるが、配設位置が異なっている。
【００５５】
第２実施形態では、柱型コンクリート体３の４つの各隅角部３ｂに対応させて、４本のアンカーボルト５が配設され、隣接するアンカーボルト５同士の間それぞれに、残りの４本のアンカーボルト５が配設される。
【００５６】
第２実施形態でも、補強プレート１０は、アンカーボルト５の変形でコンクリートが柱型コンクリート体３の外面３ａへ向けて押し出される作用を抑制するために、各アンカーボルト５それぞれと、そのアンカーボルト５が面する柱型コンクリート体３の外面３ａとの間に設けられる。
【００５７】
第２実施形態の場合のように、柱型コンクリート体３の各隅角部３ｂにアンカーボルト５が配設されると、各隅角部３ｂのアンカーボルト５は、隅角部３ｂを構成する一対の外面３ａ双方に等距離（図中、ｎｘｙで示す）で面することとなる。
【００５８】
既に上述したように、この際には、すべての隅角部３ｂの４本の各アンカーボルト５に対し、当該アンカーボルト５と一対の外面３ａそれぞれとの間に２枚の補強プレート１０が配設される。すなわち、この場合には、２枚の補強プレート１０が、アンカーボルト５の１本に対し、１：２で設けられる。従って、第２実施形態では、８本のアンカーボルト５に対し、１２枚の補強プレート１０が設けられる。
【００５９】
また、この第２実施形態では、補強プレート１０は、最上段のフープ筋４Ａから、それよりも下方の第５段目のフープ筋４に亘る上下高さ方向寸法Ｌで形成されている。
【００６０】
第２実施形態では、柱型コンクリート体３の隅角部３ｂにおける一対の外面３ａ双方とアンカーボルト５との離隔距離が等しい場合に、いずれの外面３ａへ向かうコンクリートの押し出しに対しても、補強プレート１０により確実に抵抗することができる。その他、第２実施形態であっても、第１実施形態と同様の作用効果を奏することはもちろんである。
【００６１】
図３には、上記第１及び第２実施形態の変形例が示されている。図３は、柱型基礎の一部破断側断面図である。
【００６２】
第１及び第２実施形態と異なる構成について、以下説明すると、補強プレート１０には、柱型コンクリート体３を構築するために打設されるコンクリートを、補強プレート１０の板面１０ａ周りに効率よく充填するために、補強プレート１０を板厚方向に貫通させて、打設コンクリートを流動させるための孔１２が複数設けられる。
【００６３】
この打設コンクリート流動用の孔１２により、補強プレート１０に対するコンクリートの付着性を向上することができ、このように孔１２を形成しても、アンカーボルト５の変形によるコンクリートの押し出し作用を効果的に抑制できる。
【００６４】
図４及び図５には、上記第１実施形態及び第２実施形態の他の変形例が示されている。図４（Ａ）は、柱型基礎の平面断面図、図４（Ｂ）は、図４（Ａ）中、Ｒ−Ｒ線矢視断面図であり、図５は、この変形例に用いられる補強プレートの部分斜視図が示されている。
【００６５】
第１及び第２実施形態と異なる構成について、以下説明すると、補強プレート１０には、当該補強プレート１０自体の剛性を高める補強リブ１３が一体的に設けられる。補強リブ１３は、板状であって、補強プレート１０の幅方向両縁部に、板面１０ａから立ち上げてかつ当該補強プレート１０の上下高さ方向全長に亘って一対設けられ、これにより、一対の補強リブ１３を含む補強プレート１０は平断面コ字状に形成される。
【００６６】
補強リブ１３は、補強プレート１０を板曲げ加工することで形成しても、あるいは、細帯状の板材を補強プレート１０の縁部に溶接接合するなどして形成してもよい。また、その補強リブ１３は、補強プレート１０の幅方向の一方の縁部だけ、あるいは、幅方向の中間部に設けられてもよい。補強リブ１３を含む補強プレート１０は、溝形鋼、軽溝形鋼、リップ溝形鋼、等辺山形鋼、ＣＴ形鋼などの形鋼であってもよい。補強プレート１０は、フープ筋４に対し、補強リブ１３がアンカーボルト５側に向くようにして設けられる。
【００６７】
補強リブ１３により、補強プレート１０自体の剛性を高めることができると共に、打設コンクリートとの付着性も向上でき、このように補強リブ１３を設けても、上記変形例と同様に、コンクリートの押し出し作用を効果的に抑制できる。
【００６８】
図６及び図７には、上記第１実施形態及び第２実施形態のさらに他の変形例が示されている。図６（Ａ）は、柱型基礎の平面断面図、図６（Ｂ）は、図６（Ａ）中、Ｓ−Ｓ線矢視断面図であり、図７は、この変形例に用いられる補強プレートの部分斜視図が示されている。
【００６９】
第１及び第２実施形態と異なる構成について、以下説明すると、補強プレート１０には、隣接する当該補強プレート１０同士を連結する連結部１４が一体的に設けられる。図示例にあっては、連結部１４は、補強プレート１０の上下高さ方向全長に亘る長さ寸法を有し、かつ隣接する補強プレート１０同士の間に位置する立ち上がり筋２を避けるように溝が成形されたＣ型チャンネル材１４ａで構成される。
【００７０】
このＣ型チャンネル材１４ａの幅方向両端縁に、隣接する一対の補強プレート１０の幅方向縁部が溶接接合などにより一体的に接合される。図示例にあっては、補強プレート１０には、打設コンクリート流動用の孔１２が形成されている。連結部１４は、補強プレート１０の板曲げ加工などにより、当該補強プレート１０と一体に形成してもよい。
【００７１】
連結部１４により、２枚の補強プレート１０を一回の操作で同時にフープ筋４に設けることができ、施工性を向上することができると共に、連結部１４により補強プレート１０を補強することもできる。
【００７２】
図８には、上記実施形態及び変形例に適用可能な補強プレートの変形例の側面図が示されている。
【００７３】
図８（Ａ）は、補強プレート１０とフック片１１ｂが同じ長さ寸法で形成されている。図８（Ｂ）は、フック１１の折り曲げ部１１ａを補強プレート１０の上下高さ方向の途中位置に設定して、フック１１を最上段のフープ筋４Ａではなく、それ以外のフープ筋４に掛けることができるようにしたものである。
【００７４】
図８（Ｃ）は、補強プレート１０を、上下高さ方向にフープ筋４の間隔を隔てるリブ状凸部１５が多段に形成された波板状に形成し、これらリブ状凸部１５を、上下に隣接するフープ筋４同士の間に配置できるようにしたものであり、補強プレート１０を波板形態で増強することができる。
【００７５】
さらに、アンカーボルト５と柱型コンクリート体３の外面３ａとの間に、フープ筋４の内側に配置して、補強プレート１０を設ける上記構成の他の変形例として、各アンカーボルト個々に対しＴ字状の補強プレートを用い、この補強プレートを、立ち上がり筋に接するようにして、当該立ち上がり筋とアンカーボルトとの間に設けるようにしても良い。
【００７６】
この場合には、Ｔ字状の補強プレートは、アンカーボルトが変形してコンクリートを押し出すように作用する力を、立ち上がり筋を介して、複数のフープ筋に伝達して分散させながら、確実に抵抗することができる。
【００７７】
図９〜図１２には、立ち上がり筋２に当接させる当該Ｔ字状の補強プレートについて、各種の具体例が示されている。いずれの具体例にあっても、Ｔ字状の補強プレート１０は、平板１６ａ，１７ａの両側縁にリブ１６ｂ，１７ｂを有するＣ字状の溝形鋼で構成されている。
【００７８】
溝形鋼に代えて、平板１６ａ，１７ａにリブ１６ｂ，１７ｂを溶接して構成してもよく、これにより円弧状等の補強プレート１０を形成することができる。
【００７９】
図９及び図１０は、溝形鋼１６，１７を用いた第１の例であって、図９（Ａ）は、柱型基礎１の平面断面図、図９（Ｂ）は、図９（Ａ）中、Ｔ−Ｔ線矢視断面図である。図１０は、溝形鋼１６，１７を組んだ様子を示す斜視図である。
【００８０】
柱型基礎１の一辺において、２本のアンカーボルト５に対応する２つの縦方向溝形鋼１６の側面の各リブ１６ｂそれぞれに溶接接合で、３つの横方向溝形鋼１７が接合されて、縦方向溝形鋼１６が柱型基礎１の周方向に連結されている。これは、２つのＴ字状補強プレート１０が、中央の横方向溝形鋼１７を介して、一体化されている構造である。
【００８１】
横方向溝形鋼１７の溝部１７ｃ及び縦方向溝形鋼１６の溝部１６ｃは共に、アンカーボルト５側に向けられている。フープ筋４に掛けられるフック１１は、縦方向溝形鋼１６の平板１６ａに溶接接合されている。
【００８２】
図１１は、図１０中、縦方向溝形鋼１６を矢視Ｕ方向から見た図であって、図１０の溝形鋼１６，１７を用いた第１の例に関し、縦方向溝形鋼１６の溝部１６ｃ内に、横方向溝形鋼１７のリブ１７ｂの位置に合わせて、補強板１８を溶接接合し、剛性を高めた構成を示している。
【００８３】
図１２は、溝形鋼１６，１７を用いた第２の例であって、溝形鋼１６，１７を組んだ様子を示す斜視図である。第２の例では、柱型基礎１の一辺において、これに沿う１つの横方向溝形鋼１７の底面のリブ１７ｂに、２つの縦方向溝形鋼１６が溶接接合されている構造である。フック１１は、横方向溝形鋼１７に溶接接合されている。
【００８４】
補強プレート１０に溝形鋼１６，１７を採用し、立ち上がり筋２にその内側から接するように設置しても、上述した各実施形態と同様の作用効果を奏することはもちろんである。
【００８５】
以上の種々説明した変形例であっても、上記実施形態が奏する作用効果を奏することはもちろんである。
【符号の説明】
【００８６】
１  柱型基礎
２  立ち上がり筋
３  柱型コンクリート体
３ａ  柱型コンクリート体の外面
３ｂ  柱型コンクリート体の隅角部
４  フープ筋
４Ａ  最上段のフープ筋
５  アンカーボルト
６  露出型柱脚部
１０  補強プレート
１０ａ  補強プレートの板面
１１  フック
１２  打設コンクリート流動用の孔
１３  補強用リブ
１４  連結部
１５  リブ状凸部
Ｄ  アンカーボルトの外径寸法
Ｌ  補強プレートの上下高さ方向の寸法
Ｗ  補強プレートの幅方向の寸法
【図１】
2020094460.tif 000003
【図２】
2020094460.tif 000004
【図３】
2020094460.tif 000005
【図４】
2020094460.tif 000006
【図５】
2020094460.tif 000007
【図６】
2020094460.tif 000008
【図７】
2020094460.tif 000009
【図８】
2020094460.tif 000010
【図９】
2020094460.tif 000011
【図１０】
2020094460.tif 000012
【図１１】
2020094460.tif 000013
【図１２】
2020094460.tif 000014